(57)【要約】  【課題】  物品を天井から吊り下げた状態で固定するための固定部材が万が一にも物品から外れてしまった場合でも、物品が落下するのを防止することのできる落下防止装置を提供する。  【解決手段】  落下防止装置１は、スピーカ２を天井３から吊り下げられた状態で支持する取付金具４と、天井３から吊り下げられた状態でスピーカ２を固定する固定ボルト５と、固定ボルト５がスピーカ２から外れた状態で取付金具４とスピーカ２とを互いに係止する係止部材６とを備える。この場合、固定ボルト５によって天井３から吊り下げられた状態で固定されたスピーカ２の重心位置Ｘと、固定ボルト５がスピーカ２から外れた状態で係止部材６によって取付金具４とスピーカ２とが互いに係止される係止位置Ｙとは、鉛直方向で互いにずれている。【選択図】  図１
2011151695.tif 000002
【特許請求の範囲】
【請求項１】
天井に取り付けられ、物品を前記天井から吊り下げられた状態で支持する取付部材と、
前記取付部材を介して前記物品に取り付けられ、前記天井から吊り下げられた状態で前記物品を固定する固定部材と、
前記取付部材または前記物品に設けられ、前記固定部材が前記物品から外れた状態で前記取付部材と前記物品とを互いに係止する係止部材と、
を備え、
前記固定部材によって前記天井から吊り下げられた状態で固定された前記物品の重心位置と、前記固定部材が前記物品から外れた状態で前記係止部材によって前記取付部材と前記物品とが互いに係止される係止位置とが、鉛直方向で互いにずれていることを特徴とする落下防止装置。
【請求項２】
前記物品はスピーカであり、前記固定部材が取り付けられ前記天井から吊り下げられた状態では、前記スピーカのスピーカ面は斜め下方を向いており、前記固定部材が外れて前記取付部材と係止された状態では、前記スピーカのスピーカ面は斜め上方を向いていることを特徴とする請求項１に記載の落下防止装置。
【請求項３】
前記係止部材は、前記物品の上部に取り付けられるベース部と、前記ベース部から上方に向けて突出するように形成されかつ先端部が屈曲して前記取付部材に設けられた被係止部に係止するフック部とを備え、
前記フック部は、前記固定部材が前記物品から外れて前記フック部と前記被係止部とが互いに係止した状態で前記物品に加えられた外力によって、前記ベース部に対して折れ曲がるように変形することが可能であり、
前記変形の方向は、前記フック部の先端部が屈曲している方向に対応する方向であり、前記変形によって、前記フック部と前記被係止部の係止が外れるのを防ぐことが可能であることを特徴とする請求項１または請求項２に記載の落下防止装置。
【請求項４】
前記フック部は、前記ベース部から上方向に向けて延びるように形成された第１の縦部材と、前記第１の縦部材の先端部から折り返されて下方向に向けて延びるように形成された第２の縦部材とを備え、
前記被係止部は、前記第１の縦部材と前記第２の縦部材との間に収められており、前記被係止部の幅の最小値は、前記第１の縦部材と前記第２の縦部材との間の幅より小さく、前記被係止部の幅の最大値は、前記第１の縦部材と前記第２の縦部材との間の幅より大きいことを特徴とする請求項３に記載の落下防止装置。
【請求項５】
前記係止部材は、延性を有する金属材料を用いて製造されていることを特徴とする請求項３または請求項４のいずれかに記載の落下防止装置。
【請求項６】
前記係止部材または前記物品には、前記フック部が前記変形の方向と反対方向に変形するのを防止する壁部が備えられていることを特徴とする請求項３ないし請求項５のいずれかに記載の落下防止装置。
【請求項７】
前記物品の落下防止部材を備え、
前記落下防止部材の一端は、前記天井または前記取付部材に取り付けられ、前記落下防止部材の他端は、前記物品に取り付けられることを特徴とする請求項１ないし請求項６のいずれかに記載の落下防止装置。
【発明の詳細な説明】
【技術分野】
【０００１】
本発明は、物品が落下するのを防止する装置に関し、特に、天井から吊り下げられた状態で物品を固定するための固定部材が破損等によって外れた場合に、物品が落下するのを防止する機能を備えた装置に関するものである。
【背景技術】
【０００２】
従来、天井からスピーカ等の物品を吊り下げるための取付け具が知られている（例えば、特許文献１参照）。この従来の取付け具では、天井への取付け部のビス穴にネジを通して天井に取付け具をネジ止めするとともに、スピーカ支持部のビス穴にネジを通してスピーカに取付け具をネジ止めする。このように、従来、取付け具を用いてスピーカを天井に固定するときには、ネジなどの固定部材が用いられる。
【先行技術文献】
【特許文献】
【０００３】
【特許文献１】特開平１１−３４１５７８号公報
【発明の概要】
【発明が解決しようとする課題】
【０００４】
しかしながら、従来の取付け具においては、スピーカを天井に固定するためにネジが用いられているが、何ら定期的なメンテナンスを行わずに長年使用すると、そのネジに緩みが発生したりネジが経年劣化して破損したりするおそれがある。そして、万が一にもスピーカを天井に固定しているすべてのネジが破損等により外れてしまうと、スピーカが天井から落下してしまうことになるという問題があった。
【０００５】
本発明は、上記従来の問題を解決するためになされたもので、物品を天井から吊り下げた状態で固定するための固定部材が万が一にも破損等により物品から外れてしまった場合でも、物品が天井から落下するのを防止することのできる落下防止装置を提供することを目的とする。
【課題を解決するための手段】
【０００６】
本発明の落下防止装置は、天井に取り付けられ、物品を前記天井から吊り下げられた状態で支持する取付部材と、前記取付部材を介して前記物品に取り付けられ、前記天井から吊り下げられた状態で前記物品を固定する固定部材と、前記取付部材または前記物品に設けられ、前記固定部材が前記物品から外れた状態で前記取付部材と前記物品とを互いに係止する係止部材と、を備え、前記固定部材によって前記天井から吊り下げられた状態で固定された前記物品の重心位置と、前記固定部材が前記物品から外れた状態で前記係止部材によって前記取付部材と前記物品とが互いに係止される係止位置とが、鉛直方向で互いにずれている構成を有している。
【０００７】
この構成により、物品を天井から吊り下げた状態で固定するための固定部材が万が一にも破損等により物品から外れてしまった場合でも、係止部材によって取付部材と物品とが係止され、物品が落下するのを防止することができる。しかも、この場合、固定部材によって天井から吊り下げられた状態で固定された物品の重心位置と、固定部材が外れた状態での取付部材と物品との係止位置とが、鉛直方向で互いにずれているので、固定部材が外れると、物品の重心位置が係止位置の直下になる位置まで物品が移動（係止位置を中心として回動）する。このようにして、固定部材が外れる前と後で、天井から吊り下げられた物品の位置や傾きなどが変化し、その結果、物品の外観（物品の見え方）が変化する。したがって、ユーザは、物品の外観（物品の見え方）の変化に基づいて、固定部材が外れてしまったことに容易に気付くことができる。
【０００８】
また、本発明の落下防止装置では、前記物品はスピーカであり、前記固定部材が取り付けられ前記天井から吊り下げられた状態では、前記スピーカのスピーカ面は斜め下方を向いており、前記固定部材が外れて前記取付部材と係止された状態では、前記スピーカのスピーカ面は斜め上方を向いている構成を有している。
【０００９】
この構成により、固定部材が万が一にもスピーカから外れてしまった場合でも、スピーカが落下するのを防止することができる。スピーカなどの大重量の物品を天井から吊り下げる場合には、大重量の物品（スピーカ）を効率的に支持する（固定部材による固定強度をあまり大きくしなくても済むようにする）ために、取付部材とスピーカとの係止位置とスピーカの重心位置とを鉛直方向で一致させた状態で固定するのが通常であるところ、この場合には、あえて取付部材とスピーカとの係止位置とスピーカの重心位置とを鉛直方向でずらしている。そのため、固定部材が外れてしまった場合には、スピーカの重心位置が係止位置の直下になる位置までスピーカが移動（係止位置を中心として回動）し、このようにして、固定部材が外れる前と後で、天井から吊り下げられたスピーカの位置や傾きなどが変化し、その結果、スピーカの外観（スピーカの見え方）が変化する。この場合、天井から吊り下げられた状態（固定部材が外れていない状態）では、スピーカ面が斜め下方を向いており、固定部材が外れた状態では、スピーカ面が斜め上方を向いている。したがって、ユーザは、このようなスピーカの外観（物品の見え方）の変化に基づいて、固定部材が外れてしまったことに容易に気付くことができる。また、この場合、スピーカ面の向きが変わるので、スピーカからの音の伝わり方も変化する。したがって、ユーザは、スピーカからの音（音の聞こえ方）の変化に基づいても、固定部材が外れてしまったことに気付くことができる。
【００１０】
また、本発明の落下防止装置では、前記係止部材は、前記物品の上部に取り付けられるベース部と、前記ベース部から上方に向けて突出するように形成されかつ先端部が屈曲して前記取付部材に設けられた被係止部に係止するフック部とを備え、前記フック部は、前記固定部材が前記物品から外れて前記フック部と前記被係止部とが互いに係止した状態で前記物品に加えられた外力によって、前記ベース部に対して折れ曲がるように変形することが可能であり、前記変形の方向は、前記フック部の先端部が屈曲している方向に対応する方向であり、前記変形によって、前記フック部と前記被係止部の係止が外れるのを防ぐことが可能である構成を有している。
【００１１】
この構成により、固定部材が外れてしまった状態で、さらに地震などによる外力が加えられた場合には、その外力によって物品が揺れて、フック部がベース部に対して折れ曲がるように変形することになる。この場合、その変形の方向が、フック部の先端部が屈曲している方向に対応しており、この変形によって、フック部と被係止部の係止が外れるのを防ぐことができる。したがって、万が一固定部材が外れてしまった状態で、さらに地震などによる外力が加えられたときでも、フック部と被係止部の係止が外れないような対策が講じられており、より高い安全性を得ることができる。
【００１２】
また、本発明の落下防止装置では、前記フック部は、前記ベース部から上方向に向けて延びるように形成された第１の縦部材と、前記第１の縦部材の先端部から折り返されて下方向に向けて延びるように形成された第２の縦部材とを備え、前記被係止部は、前記第１の縦部材と前記第２の縦部材との間に収められており、前記被係止部の幅の最小値Ａは、前記第１の縦部材と前記第２の縦部材との間の幅Ｂより小さく、前記被係止部の幅の最大値Ｃは、前記第１の縦部材と前記第２の縦部材との間の幅Ｂより大きい構成を有している。
【００１３】
この構成により、被係止部の幅の最小値Ａが、第１の縦部材と第２の縦部材との間の幅Ｂより小さいので、被係止部は、フック部の第１の縦部材と第２の縦部材との間に収められた状態で回転可能である。したがって、固定部材が外れてしまった状態（フック部と被係止部が係止した状態）で、さらに地震などによる外力が加えられ、その外力によって物品が揺れると、被係止部は、フック部の第１の縦部材と第２の縦部材との間に収められた状態で少し回転する。このとき、被係止部のフック部に対する回転にあわせて、取付部材がフック部に対して少し傾く。そして、この場合、被係止部の幅の最大値Ｃが、第１の縦部材と第２の縦部材との間の幅Ｂより大きいので、被係止部は、ある角度θ（Ｂ＝Ｃｃｏｓθとなる角度θ）だけ回転すると、第１の縦部材と第２の縦部材との間で引っ掛かった状態になり、それ以上回転することが不可能になる。この状態で、さらに地震などによる外力によって物品が揺れると、その外力が、いわゆる「てこの原理」によって増幅されて、フック部をベース部に対して折れ曲がるように変形させる力として、フック部に作用する。したがって、固定部材が外れてしまった状態で、さらに地震などによる外力が加えられた場合に、その外力を「てこの原理」を利用して増幅し、フック部をベース部に対して折れ曲がるように変形させることができる。なお、すでに説明したように、この変形の方向は、フック部の先端部が屈曲している方向に対応しており、この変形によって、フック部と被係止部の係止が外れるのを防ぐことができる。
【００１４】
また、本発明の落下防止装置では、前記係止部材は、延性を有する金属材料を用いて製造されている構成を有している。
【００１５】
この構成により、係止部材は、延性を有する金属材料（例えば板金など）を用いて製造されているので、フック部は、ベース部に対して折れ曲がるように変形するときに塑性変形することが可能である。塑性変形では、外力が取り去られた後も変形した状態が残る。したがって、地震などによる外力がなくなった後も、フック部が変形した状態のままとなり、フック部と被係止部の係止が外れるのを防ぐことができる。
【００１６】
また、本発明の落下防止装置では、前記係止部材または前記物品には、前記フック部が前記変形の方向と反対方向に変形するのを防止する壁部が備えられている構成を有している。
【００１７】
この構成により、フック部が、フック部の先端部が屈曲している方向と反対方向（フック部と被係止部の係止が外れやすくなる方向）に変形しようとすると、壁部によってその変形が阻止される。したがって、上記反対方向の変形によってフック部と被係止部の係止が外れるのを防ぐことができる。
【００１８】
また、本発明の落下防止装置は、前記物品の落下防止部材を備え、前記落下防止部材の一端は、前記天井または前記取付部材に取り付けられ、前記落下防止部材の他端は、前記物品に取り付けられる構成を有している。
【００１９】
この構成により、落下防止部材によっても物品が落下するのを防ぐことができる。この場合、固定部材と係止部材と落下防止部材という三重の落下防止構造を備えることになり、さらに高い安全性を得ることができる。
【発明の効果】
【００２０】
本発明は、固定部材が物品から外れた状態で取付部材と物品とを係止する係止部材を設けることにより、物品を天井から吊り下げた状態で固定するための固定部材が万が一にも物品から外れてしまった場合でも、物品が落下するのを防止することができるという効果を有する落下防止装置を提供することができるものである。
【図面の簡単な説明】
【００２１】
【図１】本発明の落下防止装置の構成を示す斜視図
【図２】本発明の落下防止装置の要部を説明するための分解斜視図
【図３】本発明の落下防止装置の要部を説明するための切欠き斜視図
【図４】本発明の落下防止装置（固定部材で固定された状態）を示す側断面図
【図５】本発明の落下防止装置（固定部材が外れた状態）を示す側断面図
【図６】フック部がベース部に対して折れ曲がるように変形する様子を示す説明図
【図７】本発明の落下防止装置の変形例１の構成を示す斜視図
【図８】本発明の落下防止装置の変形例２の構成を示す斜視図
【図９】本発明の落下防止装置の変形例３の構成を示す斜視図
【図１０】本発明の落下防止装置の変形例３の構成を示す断面図
【図１１】本発明の落下防止装置の変形例４の構成を示す斜視図
【図１２】本発明の落下防止装置の変形例４の構成を示す断面図
【発明を実施するための形態】
【００２２】
以下、本発明の実施の形態の落下防止装置について、図面を用いて説明する。本実施の形態では、スピーカシステム等に用いられるスピーカの落下防止装置の場合を例示する。
【００２３】
まず、本発明の実施の形態の落下防止装置の構成を、図面を参照して説明する。図１は、本実施の形態の落下防止装置を示す斜視図である。図２は、本実施の形態の落下防止装置の要部を説明するための分解斜視図であり、図３は、本実施の形態の落下防止装置の要部を説明するための切欠き斜視図である。
【００２４】
図１〜図３に示すように、本実施の形態の落下防止装置１は、スピーカシステム等に用いられるスピーカ２の上面に取付けられる装置である。この落下防止装置１は、スピーカ２を天井３から吊り下げた状態で支持するための取付部材である取付金具４と、取付金具４をスピーカ２に固定するための固定部材である固定ボルト５と、万が一にも固定ボルト５がスピーカ２から外れた場合に取付金具４とスピーカ２とを係止するための係止部材６を備えている（図４及び図５参照）。
【００２５】
取付金具４は、天井３に取付けられる天井側金具７と、スピーカ２に取付けられるスピーカ側金具８とで構成されている。天井側金具７は、天井３に固定される円形ベース９と、円形ベース９の中央に回転位置を調整可能に取り付けられる回転支持部１０とで構成されている。円形ベース９には、４つの取付ボルト１１が通されるボルト挿通孔（取付用長穴）１２が設けられており、天井側金具７はこれらの４つの取付ボルト１１によって天井３にボルト止めされる（図４および図５参照）。回転支持部１０の下部には、支持ボルト１３が係止される支持フック１４が設けられ、その支持フック１４の上部には、スピーカ面１５の上下の向きを調整するための調整ボルト１６が挿通されるボルト挿通孔（丸穴）１７が設けられている（図４および図５参照）。
【００２６】
スピーカ側金具８は、縦板１８と横板１９とで構成される左右一対のＬ字板２０と、左右一対のＬ字板２０を互いに連結する中央板２１とで構成されている。Ｌ字板２０の縦板１８の上部には、上記の調整ボルト１６（スピーカ面１５の上下の向きを調整するための調整ボルト１６）が挿通されるボルト挿通孔（調整用長穴）２２が設けられており、Ｌ字板２０の縦板１８の中央部には、上記の支持ボルト１３（天井側金具７の支持フック１４が係止される支持ボルト１３）が設けられている。この場合、支持ボルト１３は、左右一対のＬ字板２０の間に差し渡されるように設けられている。そして、天井側金具７とスピーカ側金具８とを組み合わせた状態で調整ボルト１６を緩めると、調整ボルト１６が調整用長穴２２の中を摺動可能になり、支持ボルト１３を回転中心にしてスピーカ側金具８が天井側金具７に対して回動可能になる。これにより、スピーカ面１５の上下方向の向きを調整できるようになっている。
【００２７】
また、スピーカ側金具８の横板１９には、上記の固定ボルト５（取付金具４をスピーカ２に固定するための固定ボルト５）を挿通するためのボルト挿通孔（固定用長穴）２３が設けられている。そして、固定ボルト５は、スピーカ側金具８の固定用長穴２３に通されて、スピーカ２の上面のボルト締結孔３４に締結される。また、スピーカ側金具８の中央板２１は下方に突出しており、この中央板２１の下部には、上記の係止部材６（固定ボルト５がスピーカ２から外れた場合に取付金具４とスピーカ２とを係止するための係止部材６）が係止される係止穴２４が設けられている。
【００２８】
係止部材６は、スピーカ２の上部に設けられている。本実施の形態では、係止部材６は、スピーカ２の上部に取り付けられるベース部２５と、ベース部２５から上方に向けて突出するように形成されたフック部２６を備えている。ベース部２５は、スピーカ２の上板２７に内側から取り付けられており、フック部２６の先端部は、スピーカ２の上板２７に設けられた穴部２８から露出している（図２および図３参照）。このフック部２６の先端部は屈曲しており、取付金具４のスピーカ側金具８に設けられた係止穴２４に係止するように構成されている。
【００２９】
なお、ここでは、係止部材６がスピーカ２に設けられ、係止穴２４が取付金具４に設けられる例について説明するが、本発明の範囲はこれに限定されるものではなく、係止部材６が取付金具４に設けられ、係止穴２４がスピーカ２に設けられてもよいことは言うまでもにない。
【００３０】
また、図２に示すように、この落下防止装置１は、スピーカ２の落下防止部材として落下防止用ワイヤ１００を備えていてもよい。落下防止用ワイヤ１００の一端は、天井３に設けられたワイヤ取付け用ねじ穴（図示）せずに固定され、落下防止用ワイヤ１００の他端は、スピーカ２に設けられたワイヤ取付け用ねじ穴１０１に固定される。落下防止用ワイヤ１００を天井３やスピーカ２に固定するときには、ワイヤ取付け用ねじ１０２が用いられる。
【００３１】
また、図１〜図３では、スピーカ２を縦にした状態（スピーカ面１５の長辺が縦になりかつスピーカ面１５の短辺が横になる状態）で天井３から吊り下げる場合について例示したが、本発明の範囲はこれに限定されるものではなく、スピーカ２を横にした状態（スピーカ面１５の長辺が横になりかつスピーカ面１５の短辺が縦になる状態）でも同様に実施可能である。
【００３２】
つぎに、図４および図５を参照しながら、固定ボルト５でスピーカ２が固定された状態（天井３から吊り下げられた状態で固定された状態）と固定ボルト５が外れた状態（係止部材６によって取付金具４とスピーカ２とが係止した状態）について詳しく説明する。
【００３３】
図４は、固定ボルト５でスピーカ２が固定された状態を示す側断面図であり、図５は、固定ボルト５が外れた状態を示す側断面図である。図４に示すように、固定ボルト５でスピーカ２が固定された状態（固定ボルト５が外れる前の状態）では、天井３から吊り下げられた状態で固定されたスピーカ２の重心位置Ｘと、固定ボルト５が外れたときに係止部材６によって取付金具４とスピーカ２が係止される係止位置Ｙとは、鉛直方向（図における上下方向）で互いにずれている。そして、図５に示すように、固定ボルト５が外れてしまった状態では、スピーカ２の重心位置Ｘが係止位置Ｙの直下になる位置までスピーカ２が移動（係止位置を中心として回動）して、スピーカ２の重心位置Ｘと係止位置Ｙとが鉛直方向で互いに一致するようになる。
【００３４】
固定ボルト５でスピーカ２が固定された状態と、固定ボルト５が外れた状態については、スピーカ面１５の向いている方向という観点から説明することもできる。図４に示すように、固定ボルト５でスピーカ２が固定された状態（固定ボルト５が外れる前の状態）では、スピーカ面１５は斜め下方（図４における斜め左下方向）を向いている。このスピーカ２は、店舗やカラオケボックスなどで天井３から吊り下げた状態で設置されるため、通常の使用状態では、スピーカ面１５は、図４に示すように斜め下向きになるように設置される。そして、図５に示すように、固定ボルト５が外れてしまった状態では、スピーカ面１５は斜め上方（図５における斜め左上方向）を向くようになる。
【００３５】
つぎに、図６を参照しながら、係止部材６のフック部２６とこのフック部２６が係止する被係止部２９の構成について詳しく説明する。図６は、フック部２６がベース部２５に対して折れ曲がるように変形する様子を示す説明図である。図６（ａ）に示すように、フック部２６は、ベース部２５から上方向（図６における上方向）に向けて延びるように形成された第１の縦部材３０と、第１の縦部材３０の先端部から横方向（図６における左方向）に向けて延びるように形成された横部材３１と、横部材３１の先端部から下方向（図６における下方向）に向けて延びるように形成された第２の縦部材３２とで構成されている。この第２の縦部材３２は、第１の縦部材３０の先端部から折り返されて下方向に向けて延びるように形成されているともいえる。
【００３６】
そして、このフック部２６は、取付金具４の被係止部２９に係止するように構成されている。本実施の形態では、取付金具４のスピーカ側金具８の中央板２１の下部に設けられた係止穴２４の下側部分が、本発明の被係止部２９に相当し、図６（ａ）に示すように、固定ボルト５が外れる前の状態では、この被係止部２９は、第１の縦部材３０と第２の縦部材３２との間に収められている。この場合、被係止部２９の断面形状は長方形形状であり、被係止部２９の幅の最小値Ａ（長方形の短辺の長さＡ）は、第１の縦部材３０と第２の縦部材３２との間の幅Ｂよりも小さく設定されており、また、被係止部２９の幅の最大値Ｂ（長方形の対角線の長さＢ）は、第１の縦部材３０と第２の縦部材３２との間の幅Ｂよりも大きく設定されている。なお、ここでは、被係止部２９の断面形状が長方形形状である場合を例示したが、本発明の範囲はこれに限定されるものではなく、被係止部２９の断面形状は、正円形形状でなければよく、例えば正多角形形状や長円形状（丸角の長方形形状）であってもよい。
【００３７】
また、この係止部材６は、延性を有する金属材料（例えば板金など）で製造されており、フック部２６は、固定ボルト５がスピーカ２から外れた状態（フック部２６と被係止部２９とが互いに係止した状態）で、さらに地震の揺れなどの外力がスピーカ２に加えられた場合には、その外力によって、ベース部２５に対して折れ曲がるように塑性変形することができるように構成されている。
【００３８】
この場合、フック部２６の変形の方向は、フック部２６の先端が屈曲している方向に対応する方向（図６における左方向）であり、より具体的には、第１の縦部材３０からみて第２の縦部材３２が設けられている方向である。また、この場合、図６（ａ）に示すように、フック部２６が変形する前の状態で、被係止部２９は、スピーカ２の穴部２８と第２の縦部材３２との間の幅Ｄの空間を通った後、ベース部２５と第２の縦部材３２の先端との間の幅Ｅの隙間を通って、第１の縦部材３０と第２の縦部材３２との間の幅Ａの空間に収められる。そして、図６（ｃ）に示すように、フック部２６が変形した後の状態では、被係止部２９が通ってきた通路の幅（スピーカ２の穴部２８と第２の縦部材３２との間の幅Ｄ’およびベース部２５と第２の縦部材３２の先端との間の幅Ｅ’）が狭くなっている。したがって、フック部２６の変形の方向は、被係止部２９が通ってきた通路の幅を狭くする方向であり、この変形（被係止部２９が通ることができる通路の幅を狭くする変形）によって、フック部２６と被係止部２９との係止が外れるのを防ぐことができる。したがって、フック部２６の変形の方向は、フック部２６と被係止部２９との係止が外れにくくなる方向であるともいえる。
【００３９】
本実施の形態では、フック部２６の先端が屈曲している方向とは反対側、すなわち、第１の縦部材３０からみて第２の縦部材３２が設けられている方向と反対側（図６における右側）には、壁部３３が設けられている。そして、フック部２６が、上記変形の方向とは反対方向（図６における右方向）に変形しようとすると、この壁部３３が干渉して、フック部２６が上記変形の方向と反対方向に変形することが防止される。なお、ここでは、スピーカ２の穴部２８の内壁を壁部３３として利用する、すなわち、壁部３３がスピーカ２の穴部２８に設けられている例について説明したが、本発明の範囲はこれに限定されるものではなく、係止部材６に壁部３３が設けられていてもよい。
【００４０】
以上のように構成された落下防止装置１について、図面を参照してその動作を説明する。
【００４１】
ここでは、まず、図４および図５を参照して、固定ボルト５が破損等によってスピーカ２から外れてしまった場合の動作について説明する。スピーカ２を天井３に設置するときには、図４に示すように、スピーカ２の上面に取付金具４のスピーカ側金具８を取り付けるとともに、天井３に取付金具４の天井側金具７を取り付けて、スピーカ側金具８と天井側金具７とを組み合わせる。スピーカ２の上面にスピーカ側金具８を取り付けるときには、スピーカ２の上板２７の穴部２８にスピーカ側金具８の中央板２１の下部を挿入して、スピーカ側金具８を係止部材６（スピーカ２の内側に予め取り付けられている）に向けてスライドさせる。そうすると、スピーカ側金具８の中央板２１の下部の係止穴２４に係止部材６のフック部２６の先端部（横部材３１と第２の縦部材３２）が挿入される。このとき、固定用長穴２３とボルト締結孔３４とが位置合わせされ、その状態で、固定ボルト５を固定用長穴２３に通して、スピーカ２の上面のボルト締結孔３４に締結する。なお、この状態（固定ボルト５で固定された状態）では、スピーカ側金具８の被係止部２９は、係止部材６のフック部２６と係止していない。
【００４２】
そして、スピーカ側金具８と天井側金具７とを組み合わせた後、スピーカ面１５の上下の向きを調整する。この場合、調整ボルト１６を緩めた状態にして、支持ボルト１３を回転中心にしてスピーカ側金具８を天井側金具７に対して回動させ、スピーカ面１５の上下方向の向きを調整し、調整ボルト１６を締めなおす。この場合、スピーカ面１５が斜め下方を向いた状態で固定されるように設置される。このとき、天井３から吊り下げられた状態で固定されたスピーカ２の重心位置Ｘと、固定ボルト５が外れたときに係止部材６によって取付金具４とスピーカ２が係止される係止位置Ｙとは、鉛直方向（図における上下方向）で互いにずれている。
【００４３】
定期的なメンテナンスを行えば、固定ボルト５が外れてしまうような事態を避けることは十分可能であるが、何ら定期的なメンテナンスを行わずに長年（例えば数十年）使用すると、固定ボルト５に緩みが発生したり固定ボルト５が経年劣化して破損したりすることがある。本実施の形態では、破損等によって固定ボルト５がすべて外れてしまっても、図５に示すように、スピーカ側金具８の被係止部２９と係止部材６のフック部２６とが係止することによって、取付金具４とスピーカ２とが係止され、スピーカ２の落下が防止される。なお、この状態では、スピーカ２の重心位置Ｘが係止位置Ｙの直下になる位置までスピーカ２が移動して、スピーカ２の重心位置Ｘと係止位置Ｙとが鉛直方向で互いに一致するようになり、そして、スピーカ面１５は斜め上方（図５における斜め左上方向）を向くようになる。
【００４４】
また、この落下防止装置１では、万が一ボルトが外れてしまった状態で、さらに地震の揺れなどによる外力が加えられたときの対策までも講じられている。すなわち、固定ボルト５がスピーカ２から外れた状態（フック部２６と被係止部２９とが互いに係止した状態）で、さらに地震の揺れなどの外力がスピーカ２に加えられた場合には、その外力によって、フック部２６が、図６に示すように、ベース部２５に対して折れ曲がるように塑性変形する。
【００４５】
ここで、図６を参照しながら、フック部２６の変形について詳しく説明する。固定部材が外れてしまった状態（フック部２６と被係止部２９が係止した状態）で、さらに地震などによる外力が加えられ、その外力によって物品が揺れたと仮定すると、図６（ａ）に示すように、被係止部２９の幅の最小値Ａが、第１の縦部材３０と第２の縦部材３２との間の幅Ｂより小さいので、被係止部２９は、フック部２６の第１の縦部材３０と第２の縦部材３２との間に収められた状態で少し回転する。
【００４６】
すると、図６（ｂ）に示すように、被係止部２９のフック部２６に対する回転にあわせて、取付部材がフック部２６に対して少し傾くことになるが、この場合、被係止部２９の幅の最大値Ｃが、第１の縦部材３０と第２の縦部材３２との間の幅Ｂより大きいので、被係止部２９は、ある角度θ（Ｂ＝Ｃｃｏｓθとなる角度θ）だけ回転すると、第１の縦部材３０と第２の縦部材３２との間で引っ掛かった状態になり、それ以上回転することが不可能になる。
【００４７】
この状態で、さらに地震などによる外力によって物品が揺れると、その外力が、いわゆる「てこの原理」によって増幅されて、図６（ｃ）に示すように、フック部２６をベース部２５に対して折れ曲がるように変形させる力としてフック部２６に作用し、フック部２６をベース部２５に対して折れ曲がるように変形させる。この変形の方向は、フック部２６の先端部が屈曲している方向（図６における左方向）に対応しており、この変形によって、フック部２６と被係止部２９の係止が外れにくくなる。
【００４８】
このような本発明の実施の形態の落下防止装置１によれば、固定ボルト５がスピーカ２から外れた状態になったときに取付金具４とスピーカ２とを係止する係止部材６を設けることにより、スピーカ２を天井３から吊り下げた状態で固定するための固定ボルト５が万が一にもスピーカ２から外れてしまった場合でも、スピーカ２が天井３から落下するのを防止することができる。
【００４９】
すなわち、本実施の形態では、スピーカ２を天井３から吊り下げた状態で固定するための固定ボルト５が万が一にも破損等によりスピーカ２から外れてしまった場合でも、係止部材６によって取付金具４とスピーカ２とが係止され、スピーカ２が天井３から落下するのを防止することができる。しかも、この場合、図４に示すように、固定ボルト５によって天井３から吊り下げられた状態で固定されたスピーカ２の重心位置Ｘと、固定ボルト５が外れた状態での取付金具４とスピーカ２との係止位置Ｙとが、鉛直方向で互いにずれているので、固定ボルト５が外れると、スピーカ２の重心位置が係止位置の直下になる位置までスピーカ２が移動（係止位置を中心として回動）する。このようにして、固定ボルト５が外れる前と後で、天井３から吊り下げられたスピーカ２の位置や傾きなどが変化し、その結果、スピーカ２の外観（スピーカ２の見え方）が変化する。したがって、ユーザは、スピーカ２の外観（スピーカ２の見え方）の変化に基づいて、固定ボルト５が外れてしまったことに容易に気付くことができる。
【００５０】
また、本実施の形態では、固定ボルト５が万が一にもスピーカ２から外れてしまった場合でも、スピーカ２が落下するのを防止することができる。スピーカ２などの大重量の物品を天井３から吊り下げる場合には、大重量の物品（スピーカ２）を効率的に支持する（固定ボルト５による固定強度をあまり大きくしなくても済むようにする）ために、取付金具４とスピーカ２との係止位置Ｙとスピーカ２の重心位置Ｘとを鉛直方向で一致させた状態で固定するのが通常であった。すなわち、重心位置がずれると、モーメントが発生するので、そのモーメントをうけてもボルトが外れないようにする分だけ、ボルト止めの取付け強度を高くしなければならないが、重心位置があわせられていれば、モーメントを考慮に入れる必要がなく、その分だけボルト止めの取付強度が小さくて済む。
【００５１】
これに対して、本実施の形態では、（重心位置Ｘと係止位置Ｙとをあわせた場合よりも）固定ボルト５の取付強度は大きくする必要があるものの、あえて取付金具４とスピーカ２との係止位置Ｙとスピーカ２の重心位Ｘ置とを鉛直方向でずらしている。つまり、固定ボルト５を外れにくくするための構成よりも、万が一にも固定ボルト５が外れてしまったときの対策をとるための構成を優先して採用いるともいえる。このような構成を採用することにより、固定ボルト５が外れてしまった場合には、スピーカ２の重心位置が係止位置の直下になる位置までスピーカ２が移動（係止位置を中心として回動）し、このようにして、固定ボルト５が外れる前と後で、天井３から吊り下げられたスピーカ２の位置や傾きなどが変化し、その結果、スピーカ２の外観（スピーカ２の見え方）が変化するのである。この場合、図４に示すように天井３から吊り下げられた状態（固定ボルト５が外れていない状態）では、スピーカ面１５が斜め下方を向いており、図５に示すように固定ボルト５が外れた状態では、スピーカ面１５が斜め上方を向いている。したがって、ユーザは、このようなスピーカ２の外観（物品の見え方）の変化に基づいて、固定ボルト５が外れてしまったことに容易に気付くことができる。また、この場合、スピーカ面１５の向きが変わるので、スピーカ２からの音の伝わり方も変化する。したがって、ユーザは、スピーカ２からの音（音の聞こえ方）の変化に基づいても、固定ボルト５が外れてしまったことに気付くことができる。
【００５２】
さらに、本実施の形態では、万が一ボルトが外れてしまった状態で、さらに地震などによる外力が加えられたときの対策までも講じている。すなわち、固定ボルト５が外れてしまった状態で、さらに地震などによる外力が加えられた場合には、その外力によってスピーカ２が揺れて、図６に示すようにフック部２６がベース部２５に対して折れ曲がるように変形することになる。この場合、その変形の方向が、フック部２６の先端部が屈曲している方向に対応しており、この変形によって、フック部２６と被係止部２９の係止が外れるのを防ぐことができる。このように、万が一固定ボルト５が外れてしまった状態で、さらに地震などによる外力が加えられたときでも、フック部２６と被係止部２９の係止が外れないような対策が講じられており、より高い安全性を得ることができる。
【００５３】
また、本実施の形態では、被係止部２９の幅の最小値Ａが、第１の縦部材３０と第２の縦部材３２との間の幅Ｂより小さいので、被係止部２９は、フック部２６の第１の縦部材３０と第２の縦部材３２との間に収められた状態で回転可能である。したがって、固定ボルト５が外れてしまった状態（フック部２６と被係止部２９が係止した状態）で、さらに地震などによる外力が加えられ、その外力によってスピーカ２が揺れると、被係止部２９は、フック部２６の第１の縦部材３０と第２の縦部材３２との間に収められた状態で少し回転する。このとき、被係止部２９のフック部２６に対する回転にあわせて、取付金具４がフック部２６に対して少し傾く。そして、この場合、被係止部２９の幅の最大値Ｃが、第１の縦部材３０と第２の縦部材３２との間の幅Ｂより大きいので、被係止部２９は、ある角度θ（Ｂ＝Ｃｃｏｓθとなる角度θ）だけ回転すると、第１の縦部材３０と第２の縦部材３２との間で引っ掛かった状態になり、それ以上回転することが不可能になる。この状態で、さらに地震などによる外力によってスピーカ２が揺れると、その外力が、いわゆる「てこの原理」によって増幅されて、フック部２６をベース部２５に対して折れ曲がるように変形させる力として、フック部２６に作用する。したがって、固定ボルト５が外れてしまった状態で、さらに地震などによる外力が加えられた場合に、その外力を「てこの原理」を利用して増幅し、フック部２６をベース部２５に対して折れ曲がるように変形させることができる。なお、すでに説明したように、この変形の方向は、フック部２６の先端部が屈曲している方向に対応しており、この変形によって、フック部２６と被係止部２９の係止が外れるのを防ぐことができる。
【００５４】
また、本実施の形態では、係止部材６は、延性を有する金属材料（例えば板金など）を用いて製造されているので、フック部２６は、ベース部２５に対して折れ曲がるように変形するときに塑性変形することが可能である。塑性変形では、外力が取り去られた後も変形した状態が残る。したがって、地震などによる外力がなくなった後も、フック部２６が変形した状態のままとなり、フック部２６と被係止部２９の係止が外れるのを防ぐことができる。
【００５５】
また、本実施の形態では、フック部２６が、フック部２６の先端部が屈曲している方向と反対方向（フック部２６と被係止部２９の係止が外れやすくなる方向）に変形しようとすると、壁部３３によってその変形が阻止される。したがって、上記反対方向の変形によってフック部２６と被係止部２９の係止が外れるのを防ぐことができる。
【００５６】
また、本実施の形態では、落下防止用ワイヤ１００によってもスピーカ２が落下するのを防ぐことができる。この場合、固定ボルト５と係止部材６と落下防止用ワイヤ１００という三重の落下防止構造を備えることになり、さらに高い安全性を得ることができる。
【００５７】
（変形例）
以下、本発明の落下防止装置の変形例について説明する。ここでは、変形例が、上記実施の形態と相違する点を中心に説明する。ここで特に言及しない限り、変形例の構成および動作は、上記実施の形態と同様である。
【００５８】
以下では、図面（図７〜図１２）を参照しながら４つの変形例（変形例１〜４）を説明する。上記実施の形態では、天井側金具７に支持フック１４が設けられ、スピーカ側金具８に支持ボルト１３と調整用長穴２２が設けられていたのに対して、以下の変形例では、スピーカ側金具４０、６０、７０、８０に支持フック４４、６４、７４、８４が設けられ、天井側金具に支持ボルトと調整用長穴が設けられている。なお、変形例の説明図（図７〜図１２）では、取付金具４のスピーカ側金具だけが図示されており、天井側金具の図示が省略されている。
【００５９】
図７は、本発明の落下防止装置の変形例１の構成を示す斜視図である。図７に示すように、変形例１では、スピーカ側金具４０は、縦板４１と横板４２とで構成される左右一対のＬ字板４３で構成されている。Ｌ字板４３の縦板４１の上部には、天井側金具の支持ボルト（図示せず）に係止される支持フック４４が設けられている。Ｌ字板４３の横板４２には、それぞれ二つの固定ボルト５を挿通するためのボルト挿通孔（固定用長穴）４５が設けられており、さらに、この横板４２には、スピーカ２の上面に突設された係止部材４６が係止される係止穴４７が設けられている。一方、スピーカ２の上面の係止部材４６は、大径の頭部４８と小径の軸部４９とで構成されており、Ｌ字板４３の横板４２の係止穴４７は、係止部材４６の頭部４８より大径の挿入穴部５０と、係止部材４６の頭部４８より小径かつ軸部４９より大径の係止長穴部５１とで構成されている。
【００６０】
スピーカ側金具４０をスピーカ２の上面に取り付けるときには、係止部材４６の頭部４８を横板４２の係止穴４７の挿入穴部５０に挿入した後、スピーカ側金具４０をスライドさせて、係止部材４６の頭部４８を横板４２の係止長穴部５１に係止させる。このとき、固定用長穴４５とボルト締結孔５２とが位置合わせされ、その状態で、固定ボルト５を固定用長穴４５に通して、スピーカ２の上面のボルト締結孔５２に締結する。したがって、固定ボルト５で固定された状態では、スピーカ側金具４０の係止長穴部５１と係止部材４６の頭部４８とは係止していない。そして、破損等によって固定ボルト５がすべて外れてしまった場合には、スピーカ側金具４０の係止長穴部５１と係止部材４６の頭部４８とが係止することによって、取付金具４とスピーカ２とが係止され、スピーカ２の落下が防止される。
【００６１】
さらに、この変形例１でも、上記実施の形態と同様、固定ボルト５によって天井３から吊り下げられた状態で固定されたスピーカ２の重心位置Ｘと、固定ボルト５が外れた状態での取付金具４とスピーカ２との係止位置Ｙとが、鉛直方向で互いにずれているので、固定ボルト５が外れると、スピーカ２の重心位置が係止位置の直下になる位置までスピーカ２が移動（係止位置を中心として回動）する。このようにして、固定ボルト５が外れる前と後で、天井３から吊り下げられたスピーカ２の位置や傾きなどが変化し、その結果、スピーカ２の外観（スピーカ２の見え方）が変化する。したがって、ユーザは、スピーカ２の外観（スピーカ２の見え方）の変化に基づいて、固定ボルト５が外れてしまったことに容易に気付くことができる。
【００６２】
図８は、本発明の落下防止装置の変形例２の構成を示す斜視図である。図８に示すように、変形例２でも、スピーカ側金具６０は、縦板６１と横板６２とで構成される左右一対のＬ字板６３で構成されており、Ｌ字板６３の縦板６１の上部には、天井側金具の支持ボルト（図示せず）に係止される支持フック６４が設けられている。Ｌ字板６３の横板６２には、それぞれ二つの固定ボルト５が締結されるボルト締結孔６５が設けられている。一方、スピーカ２の上板２７には穴部６６が形成されており、この穴部６６から先端部が露出するように係止部材６７がスピーカ２の内側から取付けられている。係止部材６７の先端部には、Ｌ字板６３の横板６２を係止する係止部６８が設けられており、この係止部６８には、固定ボルト５が挿通されるボルト挿通孔６９が設けられている。
【００６３】
スピーカ側金具６０をスピーカ２の上部に取り付けるときには、係止部材６７（スピーカ２の内部に予め取付けられている）の係止部６８にＬ字板６３の横板６２を係止させる。このとき、ボルト挿通孔６９とボルト締結孔６５とが位置合わせされ、その状態で、固定ボルト５をボルト挿通孔６９に通して、スピーカ２の上面のボルト締結孔６５に締結する。このように、変形例２では、固定ボルト５で固定された状態でも、スピーカ側金具６０の横板６２と係止部材６７の係止部６８とが係止している。そして、破損等によって固定ボルト５がすべて外れてしまった場合にも、スピーカ側金具６０の横板６２と係止部材６７の係止部６８とが係止することによって、取付金具４とスピーカ２とが係止され、スピーカ２の落下が防止される。
【００６４】
さらに、この変形例２でも、上記実施の形態と同様、固定ボルト５によって天井３から吊り下げられた状態で固定されたスピーカ２の重心位置Ｘと、固定ボルト５が外れた状態での取付金具４とスピーカ２との係止位置Ｙとが、鉛直方向で互いにずれているので、固定ボルト５が外れると、スピーカ２の重心位置が係止位置の直下になる位置までスピーカ２が移動（係止位置を中心として回動）する。このようにして、固定ボルト５が外れる前と後で、天井３から吊り下げられたスピーカ２の位置や傾きなどが変化し、その結果、スピーカ２の外観（スピーカ２の見え方）が変化する。したがって、ユーザは、スピーカ２の外観（スピーカ２の見え方）の変化に基づいて、固定ボルト５が外れてしまったことに容易に気付くことができる。
【００６５】
図９は、本発明の落下防止装置の変形例３の構成を示す斜視図であり、図１０は、変形例３の構成を説明するための断面図である。図９および図１０に示すように、変形例３では、スピーカ側金具７０は、縦板７１と横板７２とで構成される左右一対のＬ字板７３で構成されており、Ｌ字板７３の縦板７１の上部には、天井側金具の支持ボルト（図示せず）に係止される支持フック７４が設けられている。Ｌ字板７３の横板７２には、高さ調整ボルト７５が設けられており、図１０に示すように、高さ調整ボルト７５を回転させると、Ｌ字板７３が上下方向にスライドして高さを調整することができるように構成されている。また、スピーカ２の上板２７には穴部７６が形成されており、この穴部７６からＬ字板７３の縦板７１が露出するようにＬ字板７３がスピーカ２の内側から取付けられている。スピーカ２の上板２７の内側には、Ｌ字板７３を保持するための保持部材７７が取付けられており、保持部材７７は、固定ボルト５によってスピーカ２の上板２７に固定されている。
【００６６】
スピーカ側金具７０をスピーカ２の上板２７に取り付けるときには、スピーカ２の内側からＬ字板７３を取付けて、穴部７６からＬ字板７３の縦板７１を露出させた状態にする。そして、Ｌ字板７３を保持するように保持部材７７をスピーカ２の内側から取り付けた後、高さ調整ボルト７５を回転させてＬ字板７３の高さを調整する。この変形例３では、破損等によって固定ボルト５と高さ調整ボルト７５がすべて外れてしまった場合、スピーカ側金具７０の横板７２がスピーカ２の上板２７に係止することによって、取付金具４とスピーカ２とが係止され、スピーカ２の落下が防止される。
【００６７】
さらに、この変形例３でも、上記実施の形態と同様、固定ボルト５（と高さ調整ボルト７５）によって天井３から吊り下げられた状態で固定されたスピーカ２の重心位置Ｘと、固定ボルト５（と高さ調整ボルト７５）が外れた状態での取付金具４とスピーカ２との係止位置Ｙとが、鉛直方向で互いにずれているので、固定ボルト５（と高さ調整ボルト７５）が外れると、スピーカ２の重心位置が係止位置の直下になる位置までスピーカ２が移動（係止位置を中心として回動）する。このようにして、固定ボルト５（と高さ調整ボルト７５）が外れる前と後で、天井３から吊り下げられたスピーカ２の位置や傾きなどが変化し、その結果、スピーカ２の外観（スピーカ２の見え方）が変化する。したがって、ユーザは、スピーカ２の外観（スピーカ２の見え方）の変化に基づいて、固定ボルト５（と高さ調整ボルト７５）が外れてしまったことに容易に気付くことができる。
【００６８】
図１１は、本発明の落下防止装置の変形例４の構成を示す斜視図であり、図１２は、変形例４の構成を説明するための断面図である。図１１および図１２に示すように、変形例４では、スピーカ側金具８０は、左右一対の縦板８１と、左右一対の縦板８１を互いに連結する中央板８２と、左右一対の縦板８１の両側に設けられる横板８３とで構成されている。縦板８１の上部には、天井側金具の支持ボルト（図示せず）に係止される支持フック８４が設けられており、縦板８１の下部には、スピーカ２の内側に設けられた係止部材８７に係止される係止フック８５が設けられている。また、横板８３には、固定ボルト５を挿通するためのボルト挿通孔（固定用長穴）８６が設けられている。一方、スピーカ２の上板２７には、内側から係止部材８７が取付けられている。係止部材８７は、左右一対のＬ字部材８８と、左右一対のＬ字部材８８に差し渡される係止棒８９とで構成されており、この係止棒８９に、スピーカ側金具８０の係止フック８５が係止される。この場合、スピーカ２の上板２７には穴部９０が形成されており、この穴部９０から縦板８１の下部が差し込まれて、係止フック８５が係止棒８９に係止される。
【００６９】
スピーカ側金具８０をスピーカ２の上面に取り付けるときには、スピーカ２の上板２７の穴部９０から縦板８１の下部を差し込んで、係止部材８７（スピーカ２の内部に予め取付けられている）の係止棒８９に係止フック８５を係止させる。そして、固定ボルト５を横板８３の固定用長穴８６に通して、スピーカ２の上面のボルト締結孔９１に締結する。したがって、この変形例４では、固定ボルト５で固定された状態でも、スピーカ側金具８０の係止フック８５と係止部材８７の係止棒８９とが係止している。そして、破損等によって固定ボルト５がすべて外れてしまった場合にも、スピーカ側金具８０の係止フック８５と係止部材８７の係止棒８９とが係止することによって、取付金具４とスピーカ２とが係止され、スピーカ２の落下が防止される。
【００７０】
さらに、この変形例４でも、上記実施の形態と同様、固定ボルト５によって天井３から吊り下げられた状態で固定されたスピーカ２の重心位置Ｘと、固定ボルト５が外れた状態での取付金具４とスピーカ２との係止位置Ｙとが、鉛直方向で互いにずれているので、固定ボルト５が外れると、スピーカ２の重心位置が係止位置の直下になる位置までスピーカ２が移動（係止位置を中心として回動）する。このようにして、固定ボルト５が外れる前と後で、天井３から吊り下げられたスピーカ２の位置や傾きなどが変化し、その結果、スピーカ２の外観（スピーカ２の見え方）が変化する。したがって、ユーザは、スピーカ２の外観（スピーカ２の見え方）の変化に基づいて、固定ボルト５が外れてしまったことに容易に気付くことができる。
【００７１】
以上、本発明の実施の形態を例示により説明したが、本発明の範囲はこれらに限定されるものではなく、請求項に記載された範囲内において目的に応じて変更・変形することが可能である。
【産業上の利用可能性】
【００７２】
以上のように、本発明にかかる落下防止装置は、物品を天井から吊り下げた状態で固定するための固定部材が万が一にも物品から外れてしまった場合でも、物品が落下するのを防止することができるという効果を有し、スピーカの落下防止装置等として有用である。
【符号の説明】
【００７３】
１  落下防止装置
２  スピーカ
３  天井
４  取付金具
５  固定ボルト
６  係止部材
７  天井側金具
８  スピーカ側金具
１５  スピーカ面
２５  ベース部
２６  フック部
２９  被係止部
３０  第１の縦部材
３１  横部材
３２  第２の縦部材
３３  壁部
４０  スピーカ側金具（変形例１）
４６  係止部材（変形例１）
６０  スピーカ側金具（変形例２）
６７  係止部材（変形例２）
７０  スピーカ側金具（変形例３）
８０  スピーカ側金具（変形例４）
８７  係止部材（変形例４）
１００  落下防止用ワイヤ
【図１】
2011151695.tif 000003
【図２】
2011151695.tif 000004
【図３】
2011151695.tif 000005
【図４】
2011151695.tif 000006
【図５】
2011151695.tif 000007
【図６】
2011151695.tif 000008
【図７】
2011151695.tif 000009
【図８】
2011151695.tif 000010
【図９】
2011151695.tif 000011
【図１０】
2011151695.tif 000012
【図１１】
2011151695.tif 000013
【図１２】
2011151695.tif 000014